(57)【特許請求の範囲】
【請求項１】
（イ）建築物パネルであって、二つの側面（１６）及び周端（１８、２０、２２）を有するフォームコア（１２）と、前記フォームコア（１２）の少なくとも一つの側面におけるセメント製フェーシング（１４）と、前記周端（１８、２０、２２）の少なくとも二つの反対側周端において前記フォームコア（１２）中に延在する少なくとも一つの溝（２４）とを有し、各周端（１８、２０、２２）における各溝（２４）は、各端で開口していて、前記フォームコア（１２）によって形成された二つの対向面と、前記フォームコア（１２）中の終端とを有していて、二つの別々の平行な溝（２４）が前記周端（１８、２０、２２）の少なくとも二つの反対側周端において前記フォームコア（１２）中に延在しており、一つのパネルを他のパネルに結合するための舌状部材（２６）を受入れ、各溝（２４）はそれのセメント製フェーシング（１４）から少なくとも約１３ｍｍ（１／２インチ）離れている建築物パネル、
（ロ）前記溝（２４）が前記側面（１６）に平行である前記（イ）の建築物パネル、
（ハ）前記フォームコア（１２）の各側面にセメント製フェーシング（１４）が存在する前記（イ）又は（ロ）の建築物パネル、
（ニ）前記パネルが、四つの周端（１８、２０、２２）を有し、かつ、前記四つの周端のそれぞれに延在する二つの溝（２４）を備えている前記（イ）から（ハ）のいずれかの建築物パネル、
（ホ）前記各溝（２４）が互いに対するよりもパネルの側面により近い前記（イ）から（ニ）のいずれかの建築物パネル、
（ヘ）各溝（２４）は前記パネルの全周端（１８、２０、２２）に沿って延在している前記（イ）から（ホ）のいずれかの建築物パネル、
壁構造を画定する二つの隣接するパネル（１０）であって、前記（イ）から（ヘ）のパネルのいずれかによるパネルの組み合わせであって、各パネルの二つの反対側周端（１８、２０、２２）は平行であり、前記組み合わせが各隣接するパネルの共働する及び整列した各溝（２４）に設置された少なくとも一つの相互連結舌状部材（２６）を有し、各共働する溝（２４）は互いに整列及び整合し前記舌状部材（２６）を受け入れて前記パネルを一緒に結合し、二つの舌状部材（２６）はそれぞれ他のパネルの周端（１８、２０、２２）に隣接するパネルの各周端（１８、１９、２０）における二つの別々の平行な溝（２４）に整合していて、
パネル（１０）の下に水平に配置されかつ少なくとも一つのパネル（１０）の下端（２０）に配置された溝（２４）内において上方に延在する少なくとも一つのフランジを備えたＵ字型脚部溝材（３８）をさらに備え、溝（２４）内に各舌状部材（２６）が配置され、
前記パネル（１０）、溝材（３８）及び舌状部材（２６）を一緒に保持するため前記パネル（１０）のセメント製フェーシング（１４）を通り、前記溝材のフランジ（４２）内にそして前記舌状部材（２６）内に延在する固定具（４８）をさらに備えたパネルの組合わせ。
【請求項２】
前記舌状部材（２６）が前記溝材（３８）のウェブ（４４）に沿ってそこから延在するタブ（５０）を備え、前記タブ（５０）が前記ウェブ（４４）に固定された、請求項１に記載のパネルの組合わせ。
【請求項３】
ウェブ（５６）及び前記パネルの各側のセメント製フェーシング（１４）に沿って垂下する二つのフランジ（５４）を有するＵ字型キャップ溝材（５２）と、前記溝材（５２）を前記パネル（１０）に保持するため前記フェーシング（１４）を通り、前記フランジ（５４）にそして前記舌状部材（２６）内に延在する固定具（４８）とをさらに備えた、請求項１又は２に記載のパネルの組合わせ。
【請求項４】
（イ）建築物パネルであって、二つの側面（１６）及び周端（１８、２０、２２）を有するフォームコア（１２）と、前記フォームコア（１２）の少なくとも一つの側面におけるセメント製フェーシング（１４）と、前記周端（１８、２０、２２）の少なくとも二つの反対側周端において前記フォームコア（１２）中に延在する少なくとも一つの溝（２４）とを有し、各周端（１８、２０、２２）における各溝（２４）は、各端で開口していて、前記フォームコア（１２）によって形成された二つの対向面と、前記フォームコア（１２）中の終端とを有していて、二つの別々の平行な溝（２４）が前記周端（１８、２０、２２）の少なくとも二つの反対側周端において前記フォームコア（１２）中に延在しており、一つのパネルを他のパネルに結合するための舌状部材（２６）を受入れ、各溝（２４）はそれのセメント製フェーシング（１４）から少なくとも約１３ｍｍ（１／２インチ）離れている建築物パネル、
（ロ）前記溝（２４）が前記側面（１６）に平行である前記（イ）の建築物パネル、
（ハ）前記フォームコア（１２）の各側面にセメント製フェーシング（１４）が存在する前記（イ）又は（ロ）の建築物パネル、
（ニ）前記パネルが、四つの周端（１８、２０、２２）を有し、かつ、前記四つの周端のそれぞれに延在する二つの溝（２４）を備えている前記（イ）から（ハ）のいずれかの建築物パネル、
（ホ）前記各溝（２４）が互いに対するよりもパネルの側面により近い前記（イ）から（ニ）のいずれかの建築物パネル、
（ヘ）各溝（２４）は前記パネルの全周端（１８、２０、２２）に沿って延在している前記（イ）から（ホ）のいずれかの建築物パネル、
壁構造を画定する二つの隣接するパネル（１０）であって、前記（イ）から（ヘ）のパネルのいずれかによるパネルの組み合わせであって、各パネルの二つの反対側周端（１８、２０、２２）は平行であり、前記組み合わせが各隣接するパネルの共働する及び整列した各溝（２４）に設置された少なくとも一つの相互連結舌状部材（２６）を有し、各共働する溝（２４）は互いに整列及び整合し前記舌状部材（２６）を受け入れて前記パネルを一緒に結合し、二つの舌状部材（２６）はそれぞれ他のパネルの周端（１８、２０、２２）に隣接するパネルの各周端（１８、１９、２０）における二つの別々の平行な溝（２４）に整合していて、
ウェブ（５６）及び前記パネルの各側のセメント製フェーシング（１４）に沿って垂下する二つのフランジ（５４）を有するＵ字型キャップ溝材（５２）と、前記溝材（５２）を前記パネル（１０）に保持するため前記フェーシング（１４）を通り、前記フランジ（５４）にそして前記舌状部材（２６）内に延在する固定具（４８）とをさらに備えた、パネルの組合わせ。
【請求項５】
（イ）建築物パネルであって、二つの側面（１６）及び周端（１８、２０、２２）を有するフォームコア（１２）と、前記フォームコア（１２）の少なくとも一つの側面におけるセメント製フェーシング（１４）と、前記周端（１８、２０、２２）の少なくとも二つの反対側周端において前記フォームコア（１２）中に延在する少なくとも一つの溝（２４）とを有し、各周端（１８、２０、２２）における各溝（２４）は、各端で開口していて、前記フォームコア（１２）によって形成された二つの対向面と、前記フォームコア（１２）中の終端とを有していて、二つの別々の平行な溝（２４）が前記周端（１８、２０、２２）の少なくとも二つの反対側周端において前記フォームコア（１２）中に延在しており、一つのパネルを他のパネルに結合するための舌状部材（２６）を受入れ、各溝（２４）はそれのセメント製フェーシング（１４）から少なくとも約１３ｍｍ（１／２インチ）離れている建築物パネル、
（ロ）前記溝（２４）が前記側面（１６）に平行である前記（イ）の建築物パネル、
（ハ）前記フォームコア（１２）の各側面にセメント製フェーシング（１４）が存在する前記（イ）又は（ロ）の建築物パネル、
（ニ）前記パネルが、四つの周端（１８、２０、２２）を有し、かつ、前記四つの周端のそれぞれに延在する二つの溝（２４）を備えている前記（イ）から（ハ）のいずれかの建築物パネル、
（ホ）前記各溝（２４）が互いに対するよりもパネルの側面により近い前記（イ）から（ニ）のいずれかの建築物パネル、
（ヘ）各溝（２４）は前記パネルの全周端（１８、２０、２２）に沿って延在している前記（イ）から（ホ）のいずれかの建築物パネル、
前記（イ）から（ヘ）のいずれかに記載された複数のパネル（１０）を有する囲いであって、各パネル（１０）の各側にセメント製フェーシング（１４）が設けられ、前記パネル（１０）が隣接するパネル（１０）と周端を当接して配置され、各当接周端（１８、２０、２２）にフォームコア（１２）中の二つの別々の平行な溝（２４）が設けられ、前記周端（１８、２０、２２）の溝（２４）が前記各パネルにおける隣接する共働する溝（２４）と整列しかつ整合し、長い舌状部材（２６）が隣接する溝（２４）に配置され、舌状部材（２６）がパネル（１０）を構造的に一緒に固定するため二つのパネル（１０）の周端の間に延在し、固定具（２８）が前記舌状部材（２６）及びパネル（１０）を一緒にボルト止めするため前記フェーシング（１４）を通って前記舌状部材（２６）内に延在していて、
前記パネル（１０）用Ｕ字型脚部溝材（３８）をさらに備え、前記溝材（３８）が前記パネル（１０）の下端（２２）に設置された溝（２４）内に上方に延在する少なくとも二つのフランジ（４２）を有し、
前記舌状部材（２６）の下端を前記フランジ（４２）に固定する固定具（４８）をさらに備えた囲い。
【請求項６】
（イ）建築物パネルであって、二つの側面（１６）及び周端（１８、２０、２２）を有するフォームコア（１２）と、前記フォームコア（１２）の少なくとも一つの側面におけるセメント製フェーシング（１４）と、前記周端（１８、２０、２２）の少なくとも二つの反対側周端において前記フォームコア（１２）中に延在する少なくとも一つの溝（２４）とを有し、各周端（１８、２０、２２）における各溝（２４）は、各端で開口していて、前記フォームコア（１２）によって形成された二つの対向面と、前記フォームコア（１２）中の終端とを有していて、二つの別々の平行な溝（２４）が前記周端（１８、２０、２２）の少なくとも二つの反対側周端において前記フォームコア（１２）中に延在しており、一つのパネルを他のパネルに結合するための舌状部材（２６）を受入れ、各溝（２４）はそれのセメント製フェーシング（１４）から少なくとも約１３ｍｍ（１／２インチ）離れている建築物パネル、
（ロ）前記溝（２４）が前記側面（１６）に平行である前記（イ）の建築物パネル、
（ハ）前記フォームコア（１２）の各側面にセメント製フェーシング（１４）が存在する前記（イ）又は（ロ）の建築物パネル、
（ニ）前記パネルが、四つの周端（１８、２０、２２）を有し、かつ、前記四つの周端のそれぞれに延在する二つの溝（２４）を備えている前記（イ）から（ハ）のいずれかの建築物パネル、
（ホ）前記各溝（２４）が互いに対するよりもパネルの側面により近い前記（イ）から（ニ）のいずれかの建築物パネル、
（ヘ）各溝（２４）は前記パネルの全周端（１８、２０、２２）に沿って延在している前記（イ）から（ホ）のいずれかの建築物パネル、
前記（イ）から（ヘ）のいずれかに記載された複数のパネル（１０）を有する囲いであって、各パネル（１０）の各側にセメント製フェーシング（１４）が設けられ、前記パネル（１０）が隣接するパネル（１０）と周端を当接して配置され、各当接周端（１８、２０、２２）にフォームコア（１２）中の二つの別々の平行な溝（２４）が設けられ、前記周端（１８、２０、２２）の溝（２４）が前記各パネルにおける隣接する共働する溝（２４）と整列しかつ整合し、長い舌状部材（２６）が隣接する溝（２４）に配置され、舌状部材（２６）がパネル（１０）を構造的に一緒に固定するため二つのパネル（１０）の周端の間に延在し、固定具（２８）が前記舌状部材（２６）及びパネル（１０）を一緒にボルト止めするため前記フェーシング（１４）を通って前記舌状部材（２６）内に延在していて、
前記舌状部材（２６）が前記舌状部材（２６）を前記周端（１８、２０、２２）の前記溝内に固定しそこからの引き出しに抵抗するため突起によって画定された端部（３４）を有しており、
前記パネル（１０）用Ｕ字型脚部溝材（３８）をさらに備え、前記溝材（３８）が前記パネル（１０）の下端（２２）に設置された溝（２４）内に上方に延在する少なくとも二つのフランジ（４２）を有し、
前記舌状部材（２６）の下端を前記フランジ（４２）に固定する固定具（４８）をさらに備えた囲い。
【請求項７】
（イ）建築物パネルであって、二つの側面（１６）及び周端（１８、２０、２２）を有するフォームコア（１２）と、前記フォームコア（１２）の少なくとも一つの側面におけるセメント製フェーシング（１４）と、前記周端（１８、２０、２２）の少なくとも二つの反対側周端において前記フォームコア（１２）中に延在する少なくとも一つの溝（２４）とを有し、各周端（１８、２０、２２）における各溝（２４）は、各端で開口していて、前記フォームコア（１２）によって形成された二つの対向面と、前記フォームコア（１２）中の終端とを有していて、二つの別々の平行な溝（２４）が前記周端（１８、２０、２２）の少なくとも二つの反対側周端において前記フォームコア（１２）中に延在しており、一つのパネルを他のパネルに結合するための舌状部材（２６）を受入れ、各溝（２４）はそれのセメント製フェーシング（１４）から少なくとも約１３ｍｍ（１／２インチ）離れている建築物パネル、
（ロ）前記溝（２４）が前記側面（１６）に平行である前記（イ）の建築物パネル、
（ハ）前記フォームコア（１２）の各側面にセメント製フェーシング（１４）が存在する前記（イ）又は（ロ）の建築物パネル、
（ニ）前記パネルが、四つの周端（１８、２０、２２）を有し、かつ、前記四つの周端のそれぞれに延在する二つの溝（２４）を備えている前記（イ）から（ハ）のいずれかの建築物パネル、
（ホ）前記各溝（２４）が互いに対するよりもパネルの側面により近い前記（イ）から（ニ）のいずれかの建築物パネル、
（ヘ）各溝（２４）は前記パネルの全周端（１８、２０、２２）に沿って延在している前記（イ）から（ホ）のいずれかの建築物パネル、
前記（イ）から（ヘ）のいずれかに記載された複数のパネル（１０）を有する囲いであって、各パネル（１０）の各側にセメント製フェーシング（１４）が設けられ、前記パネル（１０）が隣接するパネル（１０）と周端を当接して配置され、各当接周端（１８、２０、２２）にフォームコア（１２）中の二つの別々の平行な溝（２４）が設けられ、前記周端（１８、２０、２２）の溝（２４）が前記各パネルにおける隣接する共働する溝（２４）と整列しかつ整合し、長い舌状部材（２６）が隣接する溝（２４）に配置され、舌状部材（２６）がパネル（１０）を構造的に一緒に固定するため二つのパネル（１０）の周端の間に延在し、固定具（２８）が前記舌状部材（２６）及びパネル（１０）を一緒にボルト止めするため前記フェーシング（１４）を通って前記舌状部材（２６）内に延在していて、
前記舌状部材（２６）が前記舌状部材（２６）を前記周端（１８、２０、２２）の前記溝内に固定しそこからの引き出しに抵抗するため突起によって画定された端部（３４）を有しており、
前記突起が舌状部材の端に沿った折り曲げ部であり、
前記パネル（１０）用Ｕ字型脚部溝材（３８）をさらに備え、前記溝材（３８）が前記パネル（１０）の下端（２２）に設置された溝（２４）内に上方に延在する少なくとも二つのフランジ（４２）を有し、
前記舌状部材（２６）の下端を前記フランジ（４２）に固定する固定具（４８）をさらに備えた囲い。
【請求項８】
前記舌状部材（２６）がその底部から延在するタブ（５０）を備え、前記脚部溝材（３８）がウェブ（４４）を有し、固定具がタブ（５０）をウェブ（４４）に固定する、請求項５から７のいずれか一項に記載された囲い。
【請求項９】
（イ）建築物パネルであって、二つの側面（１６）及び周端（１８、２０、２２）を有するフォームコア（１２）と、前記フォームコア（１２）の少なくとも一つの側面におけるセメント製フェーシング（１４）と、前記周端（１８、２０、２２）の少なくとも二つの反対側周端において前記フォームコア（１２）中に延在する少なくとも一つの溝（２４）とを有し、各周端（１８、２０、２２）における各溝（２４）は、各端で開口していて、前記フォームコア（１２）によって形成された二つの対向面と、前記フォームコア（１２）中の終端とを有していて、二つの別々の平行な溝（２４）が前記周端（１８、２０、２２）の少なくとも二つの反対側周端において前記フォームコア（１２）中に延在しており、一つのパネルを他のパネルに結合するための舌状部材（２６）を受入れ、各溝（２４）はそれのセメント製フェーシング（１４）から少なくとも約１３ｍｍ（１／２インチ）離れている建築物パネル、
（ロ）前記溝（２４）が前記側面（１６）に平行である前記（イ）の建築物パネル、
（ハ）前記フォームコア（１２）の各側面にセメント製フェーシング（１４）が存在する前記（イ）又は（ロ）の建築物パネル、
（ニ）前記パネルが、四つの周端（１８、２０、２２）を有し、かつ、前記四つの周端のそれぞれに延在する二つの溝（２４）を備えている前記（イ）から（ハ）のいずれかの建築物パネル、
（ホ）前記各溝（２４）が互いに対するよりもパネルの側面により近い前記（イ）から（ニ）のいずれかの建築物パネル、
（ヘ）各溝（２４）は前記パネルの全周端（１８、２０、２２）に沿って延在している前記（イ）から（ホ）のいずれかの建築物パネル、
前記（イ）から（ヘ）のいずれかに記載された複数のパネル（１０）を有する囲いであって、各パネル（１０）の各側にセメント製フェーシング（１４）が設けられ、前記パネル（１０）が隣接するパネル（１０）と周端を当接して配置され、各当接周端（１８、２０、２２）にフォームコア（１２）中の二つの別々の平行な溝（２４）が設けられ、前記周端（１８、２０、２２）の溝（２４）が前記各パネルにおける隣接する共働する溝（２４）と整列しかつ整合し、長い舌状部材（２６）が隣接する溝（２４）に配置され、舌状部材（２６）がパネル（１０）を構造的に一緒に固定するため二つのパネル（１０）の周端の間に延在し、固定具（２８）が前記舌状部材（２６）及びパネル（１０）を一緒にボルト止めするため前記フェーシング（１４）を通って前記舌状部材（２６）内に延在していて、
前記パネル（１０）用Ｕ字型脚部溝材（３８）をさらに備え、前記溝材（３８）が前記パネル（１０）の下端（２２）に設置された溝（２４）内に上方に延在する少なくとも二つのフランジ（４２）を有し、
前記舌状部材（２６）がその底部から延在するタブ（５０）を備え、前記脚部溝材（３８）がウェブ（４４）を有し、固定具がタブ（５０）をウェブ（４４）に固定する、囲い。
【請求項１０】
（イ）建築物パネルであって、二つの側面（１６）及び周端（１８、２０、２２）を有するフォームコア（１２）と、前記フォームコア（１２）の少なくとも一つの側面におけるセメント製フェーシング（１４）と、前記周端（１８、２０、２２）の少なくとも二つの反対側周端において前記フォームコア（１２）中に延在する少なくとも一つの溝（２４）とを有し、各周端（１８、２０、２２）における各溝（２４）は、各端で開口していて、前記フォームコア（１２）によって形成された二つの対向面と、前記フォームコア（１２）中の終端とを有していて、二つの別々の平行な溝（２４）が前記周端（１８、２０、２２）の少なくとも二つの反対側周端において前記フォームコア（１２）中に延在しており、一つのパネルを他のパネルに結合するための舌状部材（２６）を受入れ、各溝（２４）はそれのセメント製フェーシング（１４）から少なくとも約１３ｍｍ（１／２インチ）離れている建築物パネル、
（ロ）前記溝（２４）が前記側面（１６）に平行である前記（イ）の建築物パネル、
（ハ）前記フォームコア（１２）の各側面にセメント製フェーシング（１４）が存在する前記（イ）又は（ロ）の建築物パネル、
（ニ）前記パネルが、四つの周端（１８、２０、２２）を有し、かつ、前記四つの周端のそれぞれに延在する二つの溝（２４）を備えている前記（イ）から（ハ）のいずれかの建築物パネル、
（ホ）前記各溝（２４）が互いに対するよりもパネルの側面により近い前記（イ）から（ニ）のいずれかの建築物パネル、
（ヘ）各溝（２４）は前記パネルの全周端（１８、２０、２２）に沿って延在している前記（イ）から（ホ）のいずれかの建築物パネル、
前記（イ）から（ヘ）のいずれかに記載された複数のパネル（１０）を有する囲いであって、各パネル（１０）の各側にセメント製フェーシング（１４）が設けられ、前記パネル（１０）が隣接するパネル（１０）と周端を当接して配置され、各当接周端（１８、２０、２２）にフォームコア（１２）中の二つの別々の平行な溝（２４）が設けられ、前記周端（１８、２０、２２）の溝（２４）が前記各パネルにおける隣接する共働する溝（２４）と整列しかつ整合し、長い舌状部材（２６）が隣接する溝（２４）に配置され、舌状部材（２６）がパネル（１０）を構造的に一緒に固定するため二つのパネル（１０）の周端の間に延在し、固定具（２８）が前記舌状部材（２６）及びパネル（１０）を一緒にボルト止めするため前記フェーシング（１４）を通って前記舌状部材（２６）内に延在していて、
前記舌状部材（２６）が前記舌状部材（２６）を前記周端（１８、２０、２２）の前記溝内に固定しそこからの引き出しに抵抗するため突起によって画定された端部（３４）を有しており、
前記パネル（１０）用Ｕ字型脚部溝材（３８）をさらに備え、前記溝材（３８）が前記パネル（１０）の下端（２２）に設置された溝（２４）内に上方に延在する少なくとも二つのフランジ（４２）を有し、
前記舌状部材（２６）がその底部から延在するタブ（５０）を備え、前記脚部溝材（３８）がウェブ（４４）を有し、固定具がタブ（５０）をウェブ（４４）に固定する、囲い。
【請求項１１】
（イ）建築物パネルであって、二つの側面（１６）及び周端（１８、２０、２２）を有するフォームコア（１２）と、前記フォームコア（１２）の少なくとも一つの側面におけるセメント製フェーシング（１４）と、前記周端（１８、２０、２２）の少なくとも二つの反対側周端において前記フォームコア（１２）中に延在する少なくとも一つの溝（２４）とを有し、各周端（１８、２０、２２）における各溝（２４）は、各端で開口していて、前記フォームコア（１２）によって形成された二つの対向面と、前記フォームコア（１２）中の終端とを有していて、二つの別々の平行な溝（２４）が前記周端（１８、２０、２２）の少なくとも二つの反対側周端において前記フォームコア（１２）中に延在しており、一つのパネルを他のパネルに結合するための舌状部材（２６）を受入れ、各溝（２４）はそれのセメント製フェーシング（１４）から少なくとも約１３ｍｍ（１／２インチ）離れている建築物パネル、
（ロ）前記溝（２４）が前記側面（１６）に平行である前記（イ）の建築物パネル、
（ハ）前記フォームコア（１２）の各側面にセメント製フェーシング（１４）が存在する前記（イ）又は（ロ）の建築物パネル、
（ニ）前記パネルが、四つの周端（１８、２０、２２）を有し、かつ、前記四つの周端のそれぞれに延在する二つの溝（２４）を備えている前記（イ）から（ハ）のいずれかの建築物パネル、
（ホ）前記各溝（２４）が互いに対するよりもパネルの側面により近い前記（イ）から（ニ）のいずれかの建築物パネル、
（ヘ）各溝（２４）は前記パネルの全周端（１８、２０、２２）に沿って延在している前記（イ）から（ホ）のいずれかの建築物パネル、
前記（イ）から（ヘ）のいずれかに記載された複数のパネル（１０）を有する囲いであって、各パネル（１０）の各側にセメント製フェーシング（１４）が設けられ、前記パネル（１０）が隣接するパネル（１０）と周端を当接して配置され、各当接周端（１８、２０、２２）にフォームコア（１２）中の二つの別々の平行な溝（２４）が設けられ、前記周端（１８、２０、２２）の溝（２４）が前記各パネルにおける隣接する共働する溝（２４）と整列しかつ整合し、長い舌状部材（２６）が隣接する溝（２４）に配置され、舌状部材（２６）がパネル（１０）を構造的に一緒に固定するため二つのパネル（１０）の周端の間に延在し、固定具（２８）が前記舌状部材（２６）及びパネル（１０）を一緒にボルト止めするため前記フェーシング（１４）を通って前記舌状部材（２６）内に延在していて、
前記舌状部材（２６）が前記舌状部材（２６）を前記周端（１８、２０、２２）の前記溝内に固定しそこからの引き出しに抵抗するため突起によって画定された端部（３４）を有しており、
前記突起が舌状部材の端に沿った折り曲げ部であり、
前記パネル（１０）用Ｕ字型脚部溝材（３８）をさらに備え、前記溝材（３８）が前記パネル（１０）の下端（２２）に設置された溝（２４）内に上方に延在する少なくとも二つのフランジ（４２）を有し、
前記舌状部材（２６）がその底部から延在するタブ（５０）を備え、前記脚部溝材（３８）がウェブ（４４）を有し、固定具がタブ（５０）をウェブ（４４）に固定する、囲い。
【発明の詳細な説明】
発明の技術分野
本発明は壁パネル、とくに断熱壁パネルに、壁を形成するためかかるパネルを相互に連結する装置に、またパネルを床、屋根およびサブ壁（sub-wall）のような関連する構造物に連結する装置に関するものである。
発明の背景
ハウジングまたは他の構造物を建設するのに使用する、単一の、熱的に有効で、安価な壁パネル構造物を得ることが長期間望まれてきた。多くの試みが提案されたが、多くのかかる壁パネル構造物は外部の支持体または内部の間柱等なしでは構造的建築物パネルとして使用するのに十分強くない。かかる間柱は要素および経費を追加し、しばしばパネルの断熱値または定格を低下する熱的“短絡回路”または橋絡を形成する。
さらに、個々のパネルが相互に連結または結合されるとき、それらは相対的に“引張られ（rack）”または摺動しもしくは捩れ、構造的安定性を低下させる。
さらに、家屋または建築物の壁を建設しかつ形成するのに有用な、構造的に堅固かつ耐久性のある壁構造を製造するため、他のかかるパネルと結合しうる断熱性で、耐候性の壁パネルを得ることがきわめて望まれていた。比較的低収入で、高い人口密度の地域である、世界の多くの地域において、安価で構造的に堅固な家屋を得ることは困難である。住民用の構造的に堅固で、熱的に有効で、安価な囲いを形成するため結合材に適した断熱パネルを得ることは、とくに望ましい。
複数の断熱壁パネルが提案されたが、パネル同志の結合、ならびに対応する他の構造物への取付けは、新しいアイデアおよび改善を必要とする課題である。上記のように、従来の継手および結合概念は十分な本質的特性を欠く、パネルの“Ｒ”値を破壊する熱的“短絡”を生ずる、あるいはその両方である。さらに、かかるパネルの構造壁の要素として作用するのに十分な結合強度および剛性のフォームコア壁パネルを得ることが困難であることが発見された。
したがって、本発明の一つの目的は、改善された壁パネルおよび構造容量壁（structual capacity wall）を形成するため同様のパネルを結合する装置を得ることである。
本発明の別の目的は、一つまたはそれ以上のパネルを床に固定する改善された装置を得ることである。
本発明の別の目的は、一つまたはそれ以上のパネルを屋根に固定する改善された装置を得ることである。
本発明の別の目的は、壁取付けまたはパネル結合要素、壁間柱等によるパネルを通る熱移動のない、改善された壁パネルおよび取付け装置を得ることである。
ある種の文化または環境において、事務所またはアパートの境界を形成する、しばしば古い、構造物または壁がすでに存在していることが認められるであろう。これらは時折湿っぽくかつ不均一である。たとえば、世界中のある高人口密度地域において、多数の居住者用構造物は、健康的家庭の基礎として役立つのに不向きな傾斜した、平らでないまたは湿った内部構造壁を有していた。
したがって、本発明の別の目的は、平面の不規則性、湿気または漏洩状態等にもかかわらず、現存するサブ壁に容易に適合しかつ取付け得る機能的壁を得ることである。
発明の要約
これらの目的に対し、本発明の好適な実施例は、補強セメント製パネルで両側を上塗りされた複合フォームコアを有し、複合パネルのフォーム端部はセメント製フェーシングパネルの周辺内側に溝付きである。
好適には、二つの平行な溝が各フォームの端部に設置される。複合パネルを端部方向に結合するため、少なくとも一つの平らな金属条片が、一方のパネル端部の溝および隣接するパネル端部の向合った溝に挿入され、両方の隣接するパネルの端部によって囲まれた舌片を形成する。ねじまたは他の適当な固定具が、セメント製パネル、介在するフォームを通して舌片内に取付けられ、それにより二つの隣接するパネルを一緒に保持する。舌片自体、それが挿入された後移動するのを阻止するため、逆とげがあるかまたは、溝のフォーム端部に貫入するため、返りとして作用する鋭く折曲げられた端部を有し、それにより組立てを促進する。
好適には、舌片が各当接パネルの各隣接溝内に垂直に延在して配置され、しかして二つの舌片はそれぞれ当接パネルの端部または面に挿入される。
パネルを床上に設置するとき、直立脚部を備えたＵ字形溝材が床に固定され、パネルは溝材上に下降せしめられ、溝材の脚部はパネルのフォーム面または端部の二つの平行溝内に上方に延在する。
複合パネルの上端は、パネルの上端の上にかつそれに沿って延在する下向きに配置されたＵ字形溝材によって完成される。
いずれの場合にも、その端部における、パネル結合舌片内へのねじは、そのように製造されたパネル壁装置にさらに剛性を付加するため、それぞれ、床取付けＵ字形溝材またはパネルキャップを通って延在する。
一つのパネルが他のパネルの上に設置されるとき、水平に隣接する溝に設置された水平な結合舌片が、パネルのいろいろな高さの壁を得るため使用される。
かかる複合構造の結果はまったく素晴らしく、このように結合されたパネルは、たとえば“引張り”にさらされない負荷支持壁を提供する。すなわち、このようなパネルで作られた、例えば、家屋が風をうけたとき、各パネルが捩られまたは引張られる。
さらに、パネル壁に貫通間柱またはパネルの間の継手が存在しないことが認められるであろう。しかして、フォームはパネルを通る熱伝達に対する連続した障壁を形成し、固定具−間柱ブラケット等のようないかなる貫通構造物によっても妥協されない。したがって、セメント製パネルフェーシングを備えた厚さ７．６２cm（３インチ）のフォームパネルは約Ｒ１８の断熱値の壁を提供するのに対してフォームまたは原綿（batting）の、普通のツーバイフォー間柱付き壁は、最大Ｒ１４の定格である。
長い連結片、および下記に記載されるクリップが、パネル内のフォームの強度に依存し、パネルのＲ値と妥協しないことが認められるであろう。
一つの変形において、結合材または舌状部材はそれらの上端に折曲げフランジを有し、Ｃ字形溝材は除去されている。これらの上方フランジは、垂直な壁パネルを屋根構造に結合するため、屋根パネルまたは構造物の底部にねじ込むことができる。
別の実施例において、本発明はかかるパネルを現存する壁またはサブ壁構造に固定することを意図している。たとえば、複合フォームパネルはフォームの両側が補強セメント製パネルで上塗りされるかまたは片側だけをかかるパネルで上塗りされることを意図している。いずれの場合にも、溝がパネル周囲のフォーム端部に切込まれ、Ｚ字形クリップは、たとえば一方の脚部を溝に挿入し、他方の脚部を壁に相互連結するため後方に延長して、設置される。その脚部は曲げて壁と面一にしてそこに固定されるか、または、現存する壁またはサブ壁のいかなる変化にも対応するシムを備えた平らなパネル壁を形成するように、壁から外方に詰め木を入れられることができる。さらに、同じＺ字形クリップは、パネルの上端を屋根または他の支持構造物に固定するため、パネルの上端に利用することができる。
この実施例の変形において、Ｌ字形クリップが利用され、短い脚部はパネルの溝内に延在し、長い脚部は後方に延在する。その長い脚部は、たとえば、現存する壁、背壁または他の支持体に固定された補完的Ｌ字形クリップに連結され、二つのＬ字形クリップの間の相互係合は、たとえば、調節可能であるかまたはタッピングねじの使用によって決定され、パネルクリップの長い脚部と支持壁上のＬ字形クリップの短い又は長い脚部との間の十分な遊びは、現存する壁またはサブ壁の非平面的変化に適合するため十分な調節を可能にする。しかしてこの壁の取付けは、装置内にいかなる熱的短絡も存在しないように、パネルの断熱特性と妥協することなく達成される。
したがって、本発明は、家屋および建築物のような囲い用の、堅固な耐候性壁を建設する際に使用するのに適した、断熱性のある構造的パネルを提供するものである。同時に本発明は、別の方法では適当に上塗りすることのできない、不規則性および湿気等にもかかわらず、現存する壁またはサブ壁に取付けるのに適した断熱性パネルを提供するものである。
【図面の簡単な説明】
これらのおよび他の目的および利点は、本発明の好適な実施例に関する下記の記載から、また図面から容易に明らかになるであろうが、図面の中で、
図１は、本発明による二つの舌片または連結片およびねじまたは固定具によって結合された二つのパネルの断面平面図；
図２は、下端における床へのパネル結合装置を示す一つのパネルの断面図；
図２Ａは、上端にパネルキャップを有する一つのパネルの断面図；
図２Ｂは、パネル底部における一つの別の舌片および溝材の連結を示す斜視図；
図３は、一つのパネルの端部および二つの対応するパネル舌片の展開図；
図４は、二つの舌片によって結合された二つのパネルの破断図；
図５は９０°のコーナーにおける二つのパネルの結合装置を示す平面図：
図６および図７は図２と同様であるが屋根取付けフランジを有する舌片を示す断面図；
図８は二重フェーシングパネルおよび本発明による任意のシムを備えたＺ字形壁取付けクリップの図；
図９は図８と同様であるが、片側フェーシングパネルおよび本発明の別の実施例による二つのＬ字形壁取付けクリップの図；そして
図１０は、図３と同様であるが、別の屋根取付クリップを示す図。
発明の詳細な説明
図面を詳細に参照すると、図示された一対の当接複合壁パネル１０は、図１および図４において、本発明の一実施例に従って結合されている。各壁パネル１０はフォームコア１２を有し、フォームコア１２はその反対側側面１６に接着結合された補強セメント製フェーシングパネル１４を有する。好適には７．６２cm（３インチ）の厚さのフォームコア１２は上端１８、下端２０および一対のパネル側端２２を有し、各周端は、下記に一層詳細に記載されるように、端部１８，２０および２２（ならびに図示しない遠い端部）内で延在する、２．５４〜１．２７cm（１〜１／２インチ）の一対の長いかつ平行な溝２４（図３参照）を有する。好適な実施例において、一対の長い舌片または連結部材２６が、下記に一層詳細に開示されるように、本発明に従って壁パネルを結合するため、当接壁パネル１０の反対側端部の溝２４に垂直に挿入されている。
図３にもっとも明瞭に示されたように、各壁パネル１０はセメント製フェーシングパネル１４に隣接するフォームコア１２の反対側側面から約１．２７〜２．５４cm（１／２〜１インチ）に端部１８，２０および２２内で延在する平行な溝を備えるのが好適である。“ＵＴＩＬ−Ａ−ＣＲＥＴＥ”の商標名で市販されている、補強セメント製フェーシングパネル１４の構造および製造法は、米国特許第４２０３７８８号、同４４２８９５２号、同４４２０２９５号、再発行特許第３２０３７号、同３２０３８号および同３１９２１号に詳細に記載され、それらすべてをここに参照する。
図１および図４に示されるように、一対の舌状部材２６は当接壁パネル１０の反対側端部の溝２４に垂直に挿入され、壁パネルはさらに当接パネル１０を一緒に保持するため、セメント製フェーシングパネル１４、介在フォーム部分３０を通り、舌状部材内に延在する、固定具２８（図１参照）によってさらに固定されている。各舌状部材２６は、舌状部材の前面３６から内方かつ後方に延在する鋭く折曲げられた端部または返り３４によって画定された側端部３２を備えている。舌状部材２６が溝２４内に挿入されるとき、それらが当接壁パネル１０の壁に挿入されてしまった後、舌状部材が移動することを防止するため、返り３４が溝に隣接するフォームコア１２内に貫入することが認められるであろう。このようにして、舌状部材２６は当接壁パネル１０の側端２２によって包囲され、ねじ等のような固定具２８が、本発明に従って壁パネルを接合するため、上記のように各側面１６上の補強セメント製フェーシングパネル１４を通って挿入される。壁パネル１０がいろいろな高さのパネル壁を得るため上に重ねて結合され、舌状部材２６が水平に当接パネルの各対向する上下端の溝に挿入しうることが認められるであろう。
図２を参照すると、壁パネル１０を床４０に取付けるＵ字形脚部溝材３８が図示されている。一実施例において、各脚部溝材３８は直立する脚部またはフランジ４２を備え、それらは各フランジに垂直なウェブ４４によって結合されている。ボルト４６または他の適当な固定具が、脚部溝材３８を床４０に固定するため、ウェブ４４を通って床４０に挿入されている。少なくとも一つの壁パネル１０が脚部溝材３８上に下降せしめられ、直立フランジ４２は壁パネルの下端２０に形成された各平行溝２４内に延在する。壁パネル１０を脚部溝材３８に固定するため、好適には、固定具４８がセメント製フェーシングパネル１４、（図示しない）舌状部材２６を通って、フランジ４２内に挿入される。図２Ｂに示された変形例において、各舌状部材２６はウェブ４４に沿って延在するタブ５０を備え、各タブは孔５１を通って（図示しない）床内に延在する（図示しない）ボルトまたは他の適当な手段によってウェブに固定されている。
図２Ａを参照すると、Ｕ字形キャップパネル５２が、一実施例において、壁パネル１０の上端１８を完成するため設けられている。キャップパネル５２は、一対の垂下する脚部またはフランジ５４を有し、それらは各フランジに垂直なウェブ５６によって接合されている。キャップパネル５２は壁パネル１０の上端１８に挿入され、垂下フランジ５４は上端に形成された各溝２４内に延在する。キャップパネル５２を壁パネル１０に固定するため、好適には、ファスナ４８がセメント製フェーシングパネル１４、（図示しない）舌状部材を通ってフランジ５４内に挿入される。
図５を参照すると、コーナー５８において結合された一対の当接壁パネル１０が示されている。各壁パネル１０は他方の壁パネルの傾斜した端部に当接する傾斜した端部６０を備え、またさらに各傾斜した端部内に延在する一対の平行な溝２４′を備えている。当接する傾斜端部６０は、コーナー５８において、当接する壁パネル１０のそれぞれ整合した溝２４′内に挿入される一対の角度をなす舌状部材６２を介して結合される。舌状部材６２がコーナー５８とほぼ同じ角度のベンドまたは角部を備えていることが認められるであろう。上記の舌状部材２４によるように、角度をなす舌状部材６２は、角度をなす舌状部材の前面６８から内方かつ後方に延在する、鋭く折曲げられた端部または返り６６によって画定された横方向端部６４を有する。当接壁パネル１０をコーナー５８において一緒に保持するため、（図示しない）固定具が、セメント製フェーシングパネル１４、介在するフォーム部分３０を通り、角度をなす舌状部材６２内に延在する。
図６および図７に示された好適な実施例において、各舌状部材２６は、舌状部材２６および対応する壁パネル１０を屋根部材７４に固定するため、上端１８に平行に曲がりかつセメント製フェーシングパネル１４に向かって外方に延在する、タブ７２を有する上端７０を備えている。図６に示された一実施例において、各舌状部材２６の各タブ７２は、固定具７８により屋根部材７４の下面７６に固定されている。図７に示された別の実施例において、タブ７２′は壁パネル１０から離れて外方に延在し、かつ固定具７８によって屋根部材７４の上面８０に固定されている。
さて図８を参照すると、図示された壁パネル１０は、本発明の一実施例に従ってサブ壁または背壁８２に結合されている。設けられたＺ字形の一体の壁取付けクリップまたはブラケット８４は、二つの平行な、離れた平面内にある一対の脚部８６および８８を有し、それらは各脚部に垂直な一体のウェブ９０により接合されている。脚部８６はサブ壁８２にもっとも近い平行な溝の一つ２４に挿入され、後方に延在する脚部８８は固定具９２によりサブ壁に直接に、もしくは任意のシム９４を介して壁に間接的に結合される。シム９４を現存するサブ壁８２の非平面的不規則性に対応するため設けうることが認められるであろう。溝２４に挿入される脚部８５が、舌状部材２６に関連して上記に記載されたように、溝に隣接するフォームコア内に貫入するため、（図示しない）鋭く曲げられた端部または返りを備え得ることが理解されよう。図示されてはいないが、ブラケット８４は適当な固定具を介して壁パネル１０に固定され、固定具は壁パネル１０をサブ壁８２に保持するため、セメント製フェーシングパネル１４、介入するフォーム部分を通り、そして脚部８６内に延在している。
図９に示された他の実施例において、図示された壁パネル１０′は、一対の共働するＬ字形壁取付けクリップまたはブラケット９６および９８を介してサブ壁または背壁８２に固定されている。この実施例において、壁パネル１０′はフォームコア１２の側面の一つ１６に固定されたセメント製フェーシングパネル１４を有し、フォームコアの他の側面はサブ壁８２に隣接している。壁取付けクリップ９６は互いに垂直な一対の脚部１００および１０２を有する。脚部１００は、サブ壁８２にもっとも近い側壁１６に隣接する平行な溝２４の一つに挿入され、後方に延在する脚部１０２は、現存するサブ壁または背壁８２に固定される補完的Ｌ字形壁取付けクリップまたはブラケット９８に固定されている。そうでなければ、脚部１００はフェーシング１４にもっとも近いパネル溝に挿入され、脚部１０２はブラケット９８に接合するため延在せしめられている。壁８２に固定された補完的ブラケット９８は、互いに垂直な一対の脚部１０４および１０６を有し、脚部１０４は固定具１０８または他の適当な手段を介して壁８２に固定されている。脚部１０２および１０６はそれぞれ長い孔１１０を有し、タッピングねじ１１２は、壁取付けクリップ９６および９８の脚部１０２および１０６の間の調節可能な相互係合を生ずるため、脚部の孔１１０を通って挿入される。このようにして、壁パネル１０′を非平面的不規則性を有するサブ壁８２に固定するための調節が得られる。溝２４内に挿入された脚部１００が、舌状部材２６に関連して上記に記載されたような、溝に隣接するフォームコア内に貫入するため、（図示しない）鋭く折曲げられた端部または返りを備え得ることが理解されよう。図示されていないが、ブラケット９６は、壁パネルをサブ壁８２に保持するため、フォーム部分３０を通って脚部１００内に延在する適当な固定具を介して壁パネル１０′に固定される。
図１０に示されたように、一体のＺ字形屋根取付けクリップまたはブラケット１１４が、壁パネル１０を（図示しない）屋根部材に固定するため設けられている。屋根取付けクリップ１１４は、二つの平行な、離れた平面内にありかつ各脚部に垂直な一体のウェブ１２０によって結合された、一対の脚部１１６および１１８を有する。脚部１１６は平行な溝２４の一方に挿入され、ウェブ１２０は壁パネル１０の上端１８に平行に延在している。上方に延在する脚部１１８は、壁パネルの上端に固定された屋根部材内に延在する（図示しない）固定具をうけ入れる孔１２２を備えている。
本発明は種々の実施例の記載によって説明され、かつこれらの実施例はかなり詳細に記載されたが、制限する、またはいずれにしても添付の請求の範囲をかかる細部に制限することは出願人の意図ではない。付加的利点および変形が、この技術に通じた人々にとって容易に達成されるであろう。したがって、本発明はその広い観点において、図示しかつ説明された特殊な細部および説明的事例に限定されるものではない。したがって、本発明の範囲から離れることなしにかかる細目からの離間をなしうるものである。
【図１】
0003874798.tif 000002
【図２】
0003874798.tif 000003
【図２Ａ】
0003874798.tif 000004
【図２Ｂ】
0003874798.tif 000005
【図３】
0003874798.tif 000006
【図４】
0003874798.tif 000007
【図５】
0003874798.tif 000008
【図６】
0003874798.tif 000009
【図７】
0003874798.tif 000010
【図８】
0003874798.tif 000011
【図９】
0003874798.tif 000012
【図１０】
0003874798.tif 000013